(57)【要約】      （修正有）【課題】着用時にバストを押しつぶさず、バストの揺れ動きを効果的に軽減することができ、授乳しやすい構造を有することで特に授乳期用に好適に用いることができる、カップ部を有する衣類を提供する。【解決手段】一対のカップ部１０１は、表布１０１Ａと、着用者のバスト部を上方向から保持する上側サポート部材１０１Ｂとを含み、上側サポート部材１０１Ｂは、表布１０１Ａの肌側に配置され、上側サポート部材１０１Ｂは、前中心固着部および左右の脇部固着部を有し、上側サポート部材１０１Ｂは、前中心固着部と左右の脇部固着部とのそれぞれの間に、少なくともバストトップから下のバスト部を露出させるための露出部１０５が形成され、表布１０１Ａと上側サポート部材１０１Ｂとは、前中心固着部および左右の脇部固着部以外では、互いに分離しており、肩ストラップ１０２は、表布１０１Ａおよび上側サポート部材１０１Ｂのそれぞれの上部に連結されている。【選択図】図１
2013234395.tif 000002
【特許請求の範囲】
【請求項１】
カップ部を有する衣類であって、
一対のカップ部、肩ストラップおよびバック布を備え、
前記バック布は、前記各カップ部の脇側に取り付けられ、
前記一対のカップ部は、表布と、着用者のバスト部を上方向から保持する上側サポート部材とを含み、
前記上側サポート部材は、前記表布の肌側に配置され、
前記上側サポート部材は、前中心固着部および左右の脇部固着部を有し、
前記上側サポート部材は、前記前中心固着部と前記左右の脇部固着部とのそれぞれの間に、少なくともバストトップから下のバスト部を露出させるための露出部が形成され、
前記表布と前記上側サポート部材とは、前記前中心固着部および左右の脇部固着部以外では、互いに分離しており、
前記肩ストラップは、前記表布および前記上側サポート部材のそれぞれの上部に連結されていることを特徴とする、カップ部を有する衣類。
【請求項２】
前記肩ストラップは、少なくとも前側において２本に分岐しており、前記表布および前記上側サポート部材の上部に、前記２本に分岐した肩ストラップの端部がそれぞれ連結されていることを特徴とする、請求項１記載のカップ部を有する衣類。
【請求項３】
前記肩ストラップが、一対の第１の肩ストラップと、一対の第２の肩ストラップとを有し、
前記第１の肩ストラップの一端は前記表布と連結し、他端は前記バック布と連結し、
前記第２の肩ストラップの一端は前記上側サポート部材と連結し、他端は前記バック布と連結していることを特徴とする、請求項１記載のカップ部を有する衣類。
【請求項４】
さらに、着用者のバスト部を下方向から保持する下側サポート部材を有し、
前記下側サポート部材は、前記表布の肌側において、前記カップ部の下部に位置し、
前記上側サポート部材と前記下側サポート部材とは、少なくとも脇側で固着されており、
前記下側サポート部材と前記表布とは、脇側および下辺で固着されていることを特徴とする、請求項１から３のいずれか一項に記載のカップ部を有する衣類。
【請求項５】
前記上側サポート部材が、伸縮性を有する部材で形成されていることを特徴とする、請求項１から４のいずれか一項に記載のカップ部を有する衣類。
【請求項６】
前記表布が、伸縮性を有する部材で形成されていることを特徴とする、請求項１から５のいずれか一項に記載のカップ部を有する衣類。
【請求項７】
前記肩ストラップが、伸縮性を有する素材で形成されていることを特徴とする、請求項１から６のいずれか一項に記載のカップ部を有する衣類。
【請求項８】
さらに、カップ支持部を有し、
前記カップ支持部は、前記カップ部の下辺部に取り付けられ、
前記カップ支持部には、ワイヤーが設けられていることを特徴とする、
請求項１から７のいずれか一項に記載のカップ部を有する衣類。
【請求項９】
衣類がブラジャーである、請求項１から８のいずれか一項に記載のカップ部を有する衣類。
【発明の詳細な説明】
【技術分野】
【０００１】
本発明は、カップ部を有する衣類に関する。
【背景技術】
【０００２】
妊娠期から授乳期（マタニティ期）の女性のバストは、通常期よりも大きくなるため、通常期以上にバストの揺れが起こりやすくなる。特に、授乳期には、母乳によってバストが張り、バストの揺れに伴い、痛みが生じたり、母乳が出てしまうことがある。そのため、バストに衝撃を与えないようにしたいという要望がある。
【０００３】
その一方で、産前産後の体力や体型の維持のため、マタニティ期においても軽運動を行いたいという要望がある。従来から、運動時に使用されるスポーツブラジャーとして、バストの揺れの抑制をするための検討はなされている。一例としては、着用者に与える圧迫感等の負担を軽減しつつ、運動時のバストの揺れを抑制することを目的として、着用状態で乳頭が位置するトップ領域と着用状態で乳房の脇側下部が位置する脇側下部領域とを結ぶライン、および、前記トップ領域と着用状態で乳房の前中心側上部が位置する前中心側上部領域とを結ぶラインに、ストレッチ性のある保護テープを縫着した女性用衣類が提案されている（例えば、特許文献１参照。）。また、着用者の乳房を受け入れるカップ部の周縁部に沿って、前記揺れの主方向と主方向に直交する方向とで、弾性係数の異なる部分を設けることで、運動時の前記揺れを制御することが可能なスポーツ衣類が提案されている（例えば、特許文献２参照。）。
【先行技術文献】
【特許文献】
【０００４】
【特許文献１】特開平１１−２８６８０３号公報
【特許文献２】特開２００６−１０４６１３号公報
【発明の概要】
【発明が解決しようとする課題】
【０００５】
しかし、この時期のバストは通常期よりも大きくなるため、運動時には揺れが大きくなり、バストには大きな衝撃が加わることになる。そのため、前述の女性用衣類およびスポーツ衣類では、授乳期のバストの揺れや衝撃を防ぐには、十分なものとは言えない。前者の構成の場合、バストのトップ部を押さえるため、揺れはある程度抑えることができるが、授乳期には、バストのトップ部を押すと、痛みが伴ったり、母乳が出てしまったりする。また、着用時に圧迫感を感じることもある。そして、後者の構成の場合、揺れはある程度抑えることができるものの、揺れによるバストの変形に、カップが追随しきれない。したがって、バストがカップから離れるときに、バストを支持できず、揺れの制御は困難であった。また、授乳期には、乳児に授乳しやすい構造となっていることも重要であるが、前記の衣類は、そのような配慮がなされているとは言えない。
【０００６】
そこで、本発明は、着用時にバストを押しつぶさず、バストの揺れ動きを効果的に軽減することができ、さらに、授乳しやすい構造を有することで特に授乳期用に好適に用いることができる、カップ部を有する衣類を提供することを目的とする。
【課題を解決するための手段】
【０００７】
前記目的を達成するために、本発明のカップ部を有する衣類は、
カップ部を有する衣類であって、
一対のカップ部、肩ストラップおよびバック布を備え、
前記バック布は、前記各カップ部の脇側に取り付けられ、
前記一対のカップ部は、表布と、着用者のバスト部を上方向から保持する上側サポート部材とを含み、
前記上側サポート部材は、前記表布の肌側に配置され、
前記上側サポート部材は、前中心固着部および左右の脇部固着部を有し、
前記上側サポート部材は、前記前中心固着部と前記左右の脇部固着部とのそれぞれの間に、少なくともバストトップから下のバスト部を露出させるための露出部が形成され、
前記表布と前記上側サポート部材とは、前記前中心固着部および左右の脇部固着部以外では、互いに分離しており、
前記肩ストラップは、前記表布および前記上側サポート部材のそれぞれの上部に連結されていることを特徴とする。
【発明の効果】
【０００８】
本発明のカップ部を有する衣類は、着用時にバストを押しつぶさず、運動時のバストの揺れ動きを効果的に軽減することができる。また、本発明のカップ部を有する衣類は、授乳しやすい構造を有しており、特に授乳期に好適に用いることができる。したがって、授乳期にも、胸の揺れを気にすることなく運動を楽しむことが可能となる。
【図面の簡単な説明】
【０００９】
【図１】図１は、本発明のカップ部を有する衣類の一例である、第一の実施形態に係るブラジャーを示す図である。図１（ａ）は、正面図、図１（ｂ）は、左側の表布を外した状態の図、図１（ｃ）は、背面図を示す。
【図２】図２は、前記第一の実施形態に係るブラジャーの上側サポート部材を示す図である。
【図３】図３は、前記第一の実施形態に係るブラジャーの左側の表布をめくった状態の図である。
【図４】図４は、本発明のカップ部を有する衣類の一例である、第二の実施形態に係るブラジャーの正面図である。
【図５】図５は、本発明のカップ部を有する衣類の一例である、第三の実施形態に係るブラジャーを示す図である。図５（ａ）は、正面図、図５（ｂ）は、左側の表布をめくった状態の図である。
【図６】図６は、本発明のカップ部を有する衣類の一例である、第四の実施形態に係るブラジャーを示す図である。図６（ａ）は、左側の表布を外した状態の正面図、図６（ｂ）は、上側サポート部材および下側サポート部材の図を示す。
【図７】図７は、本発明のカップ部を有する衣類の一例である、第五の実施形態に係るブラジャーの斜視図である。
【図８】図８は、本発明のカップ部を有する衣類の一例である、第六の実施形態に係るキャミソールの斜視図である。
【図９】図９は、本発明のカップ部を有する衣類の一例である、第七の実施形態に係るキャミソールの斜視図である。
【図１０】図１０は、運動時のバストの揺れ方を説明する模式図である。
【発明を実施するための形態】
【００１０】
本発明のカップ部を有する衣類について、例をあげて説明する。ただし、本発明は、以下の例に限定および制限されない。
【００１１】
（第一の実施形態）
図１から図３に、本発明のカップ部を有する衣類の第一の実施形態に係るブラジャー１００を示す。本実施形態のブラジャー１００は、一対のカップ部１０１、肩ストラップ１０２およびバック布１０３を主要構成要素とするブラジャーである。一対のカップ部１０１は、表布１０１Ａと、着用者のバスト部を上方向から保持する上側サポート部材１０１Ｂとを含む。バック布１０３は、一対のカップ部１０１の脇側に取り付けられている。本実施形態のブラジャー１００は、バック布１０３が連結係止部を有していない、被って着用するタイプのブラジャーである。
【００１２】
図１（ｂ）において、左側のバストを覆うカップ部１０１は、構造を分かりやすくするために、表布１０１Ａを外した状態で図示している。前述のとおり、本実施形態において、一対のカップ部１０１は、表布１０１Ａと、着用者のバスト部を上方向から保持する上側サポート部材１０１Ｂとを含む。ここで、「上方向」とは、着用状態における上方向を意味する。
【００１３】
本実施形態において、上側サポート部材１０１Ｂは、表布１０１Ａの肌側に配置されている。図２に、上側サポート部材１０１Ｂの図を示す。上側サポート部材１０１Ｂは、表布１０１Ａとの固着部である、前中心固着部Ｓおよび左右の脇部固着部Ｔを有する。ここで、「左右」とは、着用時における前から見た左右でもよいし、後から見た左右でもよい。そして、上側サポート部材１０１Ｂは、前中心固着部Ｓと左右の脇部固着部Ｔとのそれぞれの間に、少なくともバストトップから下のバスト部を露出させるための露出部１０５が形成されている。
【００１４】
本実施形態において、表布１０１Ａと上側サポート部材１０１Ｂとは、前中心固着部Ｓおよび左右の脇部固着部Ｔとで固着され、それ以外の部分では、互いに分離している。図３に、ブラジャー１００の表布１０１Ａをめくった状態の図を示す。このように、表布１０１Ａをめくることにより、露出部１０５からバストが露出し、授乳することが可能である。
【００１５】
本実施形態において、上側サポート部材１０１Ｂは、バスト部を上方向から保持している。上側サポート部材１０１Ｂは、バストの膨らみに沿うように配置されていることが好ましい。これにより、上側サポート部材１０１Ｂによってバスト部を上方向から押さえることができるため、運動時のバストの振りあがりや、前中心側または脇側への横揺れを軽減することができる。また、上側サポート部材１０１Ｂには、露出部１０５が形成されているため、バストトップ付近を押さえつけない構成になっており、着用時にバストを押しつぶすことがない。
【００１６】
本実施形態において、上側サポート部材１０１Ｂは、伸縮性を有する部材で形成されていることが好ましい。一方、上側サポート部材１０１Ｂは、カップ部１０１の前中心側と脇側とを結ぶ方向と直交する、図２中の矢印の方向（上下方向）において非伸縮性または難伸縮性であることが好ましい。ここで、「非伸縮性または難伸縮性」とは、カップ部１０１を形成する他の部分と比較して非伸縮または難伸縮であることをいう。このように、バスト上部に、上下方向に伸び難い素材の上側サポート部材１０１Ｂが配置されることで、運動時のバストの振りあがりや、前中心側や脇側への横揺れをより効果的に押さえることができる。
【００１７】
上側サポート部材１０１Ｂに使用する素材として、例えば、トリコット、マーキジット、トリコネット、ダブルラッセル、天竺、フライス、スムース、パワーネット、レース編地などがあげられる。また、上側サポート部材１０１Ｂは、速乾吸汗生地を用いれば、例えば、スポーツ時や夏季など、汗をかきやすい時により快適に着用できる。
【００１８】
本実施形態において、表布１０１Ａは、伸縮性を有する素材で形成されていることが好ましい。これにより、表布１０１Ａをめくって授乳しやすくなる。表布１０１Ａに使用する素材としては、例えば、トリコット、マーキジット、トリコネット、ダブルラッセル、天竺、フライス、スムース、パワーネット、レース編地などがあげられる。
【００１９】
露出部１０５の広さは特に制限されない。バストトップを露出できれば、授乳することができるので、露出部１０５は、上側サポート部材１０１Ｂのバストの揺れ防止効果を損なわない範囲で、バストトップが露出可能な位置および広さで設けられていればよい。
【００２０】
本実施形態において、上側サポート部材１０１Ｂは、左右のカップ部に亘って一部材で形成されているが、本発明はこれに限られず、左右別部材であってもよい。また、左右別々に用意したものを前中心部分で連結してもよい。
【００２１】
本実施形態において、表布１０１Ａは、左右別部材で形成されているが、本発明はこれに限られない。本発明では、表布１０１Ａの態様は特に制限されず、本実施形態のように、着物の衿のように左右の部材を合わせた態様でもよいし、左右のカップが離れている態様でもよい。また、左右別々に用意したものを前中心部分で連結してもよいし、左右を一部材で形成してもよい。さらに、前中心部分の高さが、本実施形態よりも低い態様であってもよい。表布１０１Ａは、デザインによって、様々なバリエーションを実現できる。
【００２２】
本実施形態において、肩ストラップ１０２は、一対の第１の肩ストラップ１０２Ａと、一対の第２の肩ストラップ１０２Ｂとを有する。そして、図１（ａ）（ｃ）に示すように、第１の肩ストラップ１０２Ａの一端は表布１０１Ａと連結し、他端はバック布１０３と連結し、第２の肩ストラップ１０２Ｂの一端は上側サポート部材１０１Ｂと連結し、他端はバック布１０３と連結している。これにより、例えば、図３のように表布１０１Ａをめくった際、肩ストラップ１０２Ａは表布１０１Ａとともに肩から落ちるが、肩ストラップ１０２Ｂが肩にかかったままとなる。このため、授乳の際にブラジャー全体の位置が元の着用位置からずれてしまうのを防ぐことができ、授乳時の違和感を軽減するとともに、授乳後の着用を楽に行うことができる。
【００２３】
本実施形態において、肩ストラップ１０２は、伸縮性を有する素材で形成されていることが好ましい。また、第１の肩ストラップ１０２Ａと、第２の肩ストラップ１０２Ｂとで、使用する素材を変えてもよい。例えば、授乳の際にめくる表布１０１Ａとつながっている第１の肩ストラップ１０２Ａの方が、第２の肩ストラップ１０２Ｂよりも、伸縮性が大きい素材を使用してもよい。
【００２４】
本発明では、肩ストラップ１０２は、カップ部１０１を肩から吊り下げるものであればよく、例えば、タンクトップのような幅の広い、いわゆるラウンドタイプのストラップであってもよい。また、肩ストラップ１０２の態様は、例えば、背中側で肩ストラップ１０２が一体となりバック布１０３に取り付けられる態様であってもよい。また、例えば、肩ストラップ１０２Ａが、表布１０１Ａにのみ取り付けられている、いわゆる「ホルターネック」タイプであってもよい。さらに、肩ストラップ１０２Ｂも上側サポート部材１０１Ｂにのみ取り付けられている、いわゆる「ホルターネック」タイプであっても良い。また、肩ストラップ１０２Ｂだけ前記「ホルターネック」タイプとしても良い。肩ストラップ１０２の取り付け位置は、カップ部１０１の形状やカップ部を有する衣類のデザインによって決定することができる。
【００２５】
また、本発明では、肩ストラップ１０２は、端部が、係止具を介してカップ部１０１またはバック布１０３の上部に取り付けられ、さらに、長さ調節具を有していてもよい。例えば、第１の肩ストラップ１０２Ａおよび第２の肩ストラップ１０２Ｂの一端が、バック布１０３の上部に取り付けられた円環の係止具を通って反転し、エイト環からなる長さ調節具に導入されることによって、長さ調整が可能な状態で、取り付けられていてもよい。
【００２６】
本実施形態では、連結係止部を有していないバック布１０３を使用しているが、着脱自在な連結係止部を背中心付近に有している態様とすることもできる。前記連結係止部としては、ホック（例えば、フック・アンド・アイ（鈎ホック））、グリッパー、ボタン、紐、面ファスナーなどを、デザインや用途に応じて適宜選択して使用することができる。なお、上記のフック・アンド・アイやグリッパー、ボタンを用いる場合には、複数の留め位置を予め設けておくことにより、締め付け具合を微調整できるようにしておくことも好ましい。なお、上記以外の他の種類の係止具を使用してもよい。また、バック布が連結係止部を有さないフロントホックタイプや、バック布を結んで係止するタイプであってもよい。
【００２７】
（第二の実施形態）
図４に、本発明のカップ部を有する衣類の第二の実施形態に係るブラジャー２００を示す。図４は、ブラジャー２００の正面図である。図４に示すとおり、本実施形態において、肩ストラップ２０２は、前側において１本の肩ストラップが肩ストラップ２０２Ａおよび肩ストラップ２０２Ｂに分岐している。そして、表布２０１Ａの上部に、肩ストラップ２０２Ａの端部が、上側サポート部材２０１Ｂの上部に、肩ストラップ２０２Ｂの端部が、それぞれ連結されている。その他は、前記第１の実施形態と同様である。
【００２８】
本実施形態において、肩ストラップ２０２は、肩よりも後ろ側で分岐していることが好ましい。これにより、肩ストラップ２０２Ｂを肩にかけたままで、表布２０１Ａをめくることができるため授乳中にブラジャーの位置がずれるのを防ぐことができる。
【００２９】
（第三の実施形態）
図５に、本発明のカップ部を有する衣類の第三の実施形態に係るブラジャー３００を示す。図５（ａ）は、ブラジャー３００の正面図、図５（ｂ）は、左側の表布をめくった図である。図５（ａ）（ｂ）に示すとおり、本実施形態において、肩ストラップ３０２は、表布３０１Ａおよび上側サポート部材３０１Ｂの上部に取り付けられており、肩ストラップ３０２と表布３０１Ａとは、着脱可能な係止具３０６によって取り付けられている。その他は、前記第１の実施形態と同様である。
【００３０】
本実施形態では、通常は、肩ストラップ３０２と表布３０１Ａの上部が着脱可能な係止具３０６により係止されていることにより、バスト部が表布３０１Ａによって覆われた状態であるが、授乳の際は、係止具３０６を外すことにより、バスト部を露出することができる。また、肩ストラップ３０２は、上側サポート部材３０１Ｂの上部に固着されているため、係止具３０６を外しても、ブラジャーおよび土台がずり落ちることなくブラジャーの装着状態を維持できる。
【００３１】
本実施形態において、着脱可能な係止具３０６には、例えば、ホック（着脱式ホックを含む）、ボタンとボタンホールとを用いたもの、ひも、面ファスナーなどが使用できる。肩ストラップ３０２と上側サポート部材３０１Ｂとの固着の態様は、特に制限されず、肩ストラップ３０２は、上側サポート部材３０１Ｂの上部に係止具等を介して固着されていてもよいし、上側サポート部材３０１Ｂの上部に直接固着されていてもよい。
【００３２】
（第四の実施形態）
図６に、本発明のカップ部を有する衣類の第四の実施形態に係るブラジャー４００を示す。図６（ａ）（ｂ）に示すとおり、ブラジャー４００は、さらに、着用者のバスト部を下方向から保持する下側サポート部材４０１Ｃを有する。下側サポート部材４０１Ｃは、例えば、バージスライン近傍のバスト下部を覆うように形成されている。
【００３３】
本実施形態において、下側サポート部材４０１Ｃは、表布４０１Ａの肌側において、カップ部４０１の下部に位置している。そして、上側サポート部材４０１Ｂと下側サポート部材４０１Ｃとは、脇側で固着されている。ただし、本発明はこれに限られず、上側サポート部材４０１Ｂと下側サポート部材４０１Ｃとが、前中心部分においても固着されていてもよい。また、下側サポート部材４０１Ｃと表布４０１Ａとは、脇側および下辺で、互いに固着されている。
【００３４】
ここで、運動時のバストの揺れ動きについて説明する。図１０は、運動時のバストの揺れ方を説明する模式図である。バストの揺れには、上下方向に揺れる「縦揺れ」（図１０（ａ））と、左右方向に揺れる「横揺れ」（図１０（ｂ））とがある。ヌードで走った時のバストの揺れを高速度カメラで詳細に観察したところ、横揺れは、下方から脇側へ、もしくは、下方から内側（前中心側）に振りあがる揺れ方をしており、下方から脇側への振りあがりが特に大きくなっている。この振りあがりは、揺れ下がりによる下方への衝撃の反動によって起こる。そこで、下側サポート部材４０１Ｃを設けることにより、振りあがりのみではなく、いったん持ち上がって落ちてくるバストの衝撃を緩和することができるため、バストの揺れを効果的に押さえることができる。
【００３５】
下側サポート部材４０１Ｃは、カップ部４０１の前中心側と脇側とを結ぶ方向に伸縮性を有している、いわゆるストレッチ素材を用いることが好ましい。これにより、運動時にいったん持ち上がって落ちてくるバストの衝撃を緩和して受け止めることができる。下側サポート部材４０１Ｃに用いることのできる素材としては、例えば、トリコット、マーキジット、トリコネット、ダブルラッセル、天竺、フライス、スムース、パワーネット、レース編地等があげられる。
【００３６】
本実施形態において、下側サポート部材４０１Ｃは、左右のカップ部に亘って一部材で形成されているが、本発明はこれに限られず、左右別部材であってもよい。左右別々に用意したものを前中心部分で連結してもよい。
【００３７】
（第五の実施形態）
図７に、本発明のカップ部を有する衣類の第五の実施形態に係るブラジャー５００の斜視図を示す。本実施形態のブラジャー５００は、一対のカップ部５０１、肩ストラップ５０２、バック布５０３および土台部５１０を有する。一対のカップ部５０１の下辺部には、カップ支持部５０７が取り付けられ、カップ支持部５０７には、ワイヤー５０９が配置されている。ワイヤー５０９は、例えば、アモルファスワイヤー、金属ワイヤー、樹脂ワイヤー、布テープ等のテープ状の芯材等から形成されている。土台部の両端には、バック布５０３が取り付けられている。ワイヤータイプのブラジャーの場合、バック布５０３は、着脱自在な連結係止部（図示せず）を背中心付近に有していると、着脱が容易となり好ましい。
【００３８】
本実施形態において、第１の肩ストラップ５０２Ａは、一端が一対の表布５０１Ａの上部に取り付けられ、他端がバック布５０３の上辺に取り付けられている。第１の肩ストラップ５０２Ａの端部は、表布５０１Ａの上部に取り付けられた円環の係止具５０８Ａを通って反転し、エイト環からなる長さ調節具５０８Ｂに導入されることによって、長さ調整が可能な状態で、取りつけられている。また、本実施形態において、第２の肩ストラップ５０２Ｂは、一端が一対の上側サポート部材５０１Ｂの上部に取り付けられ、他端がバック布５０３の上辺に取り付けられている。第２の肩ストラップ５０２Ｂの端部は、上側サポート部材５０１Ｂの上部に取り付けられた円環の係止具５０８Ａ’を通って反転し、エイト環からなる長さ調節具５０８Ｂ’に導入されることによって、長さ調整が可能な状態で、取りつけられている。
【００３９】
本実施形態において、表布５０１Ａおよび上側サポート部材５０１Ｂは、それぞれ、左右別の部材で形成されている。本実施形態におけるその他の構成は、前記第１の実施形態の説明を援用できる。なお、本実施形態は、上側サポート部材のみを有する態様をあげて説明したが、本発明はこれに限られず、さらに、下側サポート部材を有していてもよい。
【００４０】
このように、本発明は、ワイヤータイプのブラジャーにも適用できる。ワイヤーを有することにより、造形性を高めることができる。
【００４１】
（第六の実施形態）
図８に、本発明のカップ部を有する衣類のその他の例である、第六の実施形態に係るキャミソール６００の斜視図を示す。このキャミソール６００のブラジャー相当部分は、図１で説明した第一の実施形態のブラジャー１００とほぼ同一の概念のもとに設計されている。本態様においては、キャミソール６００は、カップ部１０１の下側に、胸下部身頃６２０を有している。その他の態様は図１に示したブラジャー１００と実質上同一であり、同一部分には同一の符号を付して、重複する説明を省略している。ここでは、第一の実施形態に係るブラジャー１００とほぼ同一概念のもとに設計されたブラジャー相当部分を有するキャミソールについて説明したが、本発明はこれに限定されず、他の実施形態に係るブラジャー相当部分を有するキャミソールとすることもできる。本例においては、バック布１０３がない態様としてもよい。
【００４２】
（第七の実施形態）
また、図９に、本発明のカップ部を有する衣類のその他の例である、第七の実施形態に係るキャミソール７００の斜視図を示す。このキャミソール７００のブラジャー相当部分は、図６で説明した第四の実施形態のブラジャー４００とほぼ同一の概念のもとに設計されている。本態様においては、キャミソール７００は、カップ部４０１の下側に、胸下部身頃７２０を有している。本態様において、下側サポート部材４０１Ｃは、前中心部分と左右の脇側部分とで、上側サポート部材４０１Ｂと固着されている。また、上側サポート部材４０１Ｂおよび下側サポート部材４０１Ｃは、左右の脇側部分で胸下部身頃７２０に固着されている。その他の態様は図６に示したブラジャー４００と実質上同一であり、同一部分には同一の符号を付して、重複する説明を省略している。ここでは、第四の実施形態に係るブラジャー４００とほぼ同一概念のもとに設計されたブラジャー相当部分を有するキャミソールについて説明したが、本発明はこれに限定されず、他の実施形態に係るブラジャー相当部分を有するキャミソールとすることもできる。また、本例においては、バック布１０３がない態様としてもよい。
【００４３】
前記第六および第七の実施形態においては、ブラジャー相当部分の下側に身頃を設ける態様に限られず、キャミソールの身頃内側にブラジャー相当部分を設けてもよい。この場合、キャミソールは、ブラジャー相当部分を覆うように身頃を有している。このような構成にすることにより、本発明の効果を有しつつ、着用時の外観のバリエーションを多様にすることができる。また、カップ部を、よりアウターにひびかなくすることもできる。
【００４４】
以上、実施の形態の具体例として、ブラジャーおよびキャミソールをあげて本発明を説明したが、本発明のカップ部を有する衣類は、これらの具体例で記載されたもののみに限定されるものではなく、種々の態様が可能である。例えば、上記の実施形態のような衣類以外にも、ボディースーツ、ブラスリップ、水着、レオタード、その他各種のカップ部を有する衣類に適用できる。また、前中心を係脱自在のホックで連結するフロントホックタイプの衣類にも適用できる。
【産業上の利用可能性】
【００４５】
本発明のカップ部を有する衣類は、種々の態様が可能である。例えば、上記の実施形態のような衣類以外にも、ファンデーション衣類、スポーツ衣類、アウターなど、各種のカップ部を有する衣類に適用できる。
【符号の説明】
【００４６】
１００、２００、３００、４００、５００  ブラジャー
６００、７００  キャミソール
１０１、２０１、３０１、４０１、５０１  カップ部
１０２、２０２、３０２、５０２  肩ストラップ
１０２Ａ、２０２Ａ、５０２Ａ    第１の肩ストラップ
１０２Ｂ、２０２Ｂ、５０２Ｂ    第２の肩ストラップ
１０３、５０３  バック布
１０１Ａ、２０１Ａ、３０１Ａ、４０１Ａ、５０１Ａ  表布
１０１Ｂ、２０１Ｂ、３０１Ｂ、４０１Ｂ、５０１Ｂ  上側サポート部材
３０６  係止具
４０１Ｃ  下側サポート部材
５０７  カップ支持部
５０８Ａ、５０８Ａ’  円環係止具
５０８Ｂ、５０８Ｂ’  長さ調節具
ワイヤー  ５０９
土台部    ５１０
６２０、７２０  身頃
S  前中心固着部
T  脇部固着部
【図１】
2013234395.tif 000003
【図２】
2013234395.tif 000004
【図３】
2013234395.tif 000005
【図４】
2013234395.tif 000006
【図５】
2013234395.tif 000007
【図６】
2013234395.tif 000008
【図７】
2013234395.tif 000009
【図８】
2013234395.tif 000010
【図９】
2013234395.tif 000011
【図１０】
2013234395.tif 000012